(57)【要約】【課題】ＯＣＢモード等の設定時に初期化が必要な表示モードを採用しても、低電圧で短時間に初期化出来、また画素開口率を低下させない液晶表示装置を提供することである。【解決手段】液晶表示装置は：対向する一対の光透過基板の一方の内表面に設けられた第１電極１０６と；第１電極に重ねられた絶縁層１０２と；絶縁層に重ねられた第２電極１０８と；そして、第１電極と第２電極に接続され、一対の基板間の液晶層の液晶を駆動する液晶駆動手段と；を備える。第２電極は、初期化を容易にする為の切り欠き部３０２を含んでおり、そして、第１電極は、第２電極の切り欠き部に対し重なって配置された開口部３０１を含んでいる。【選択図】    図３
2008249759.tif 000002
【特許請求の範囲】
【請求項１】
対向する一対の光を透過する基板と；
前記一対の基板間に配置され、画像を表示する為の表示状態における配向状態と画像を表示しない非表示状態における配向状態とが異なる液晶を含んでおり、液晶に表示状態で画像を表示させる前に液晶を非表示状態の配向状態から表示状態の配向状態へ初期化することが必要である液晶層と；
前記一対の基板の何れか一方において他方に向いた表面に設けられた第１電極と；
前記第１電極に重ねられた絶縁層と；
前記絶縁層に重ねられた第２電極と；そして、
前記第１電極と前記第２電極に接続され、前記液晶を駆動する液晶駆動手段と；
を備えており、
前記第２電極は、前記初期化を容易にする為の切り欠き部を含んでおり、
前記第１電極は、前記第２電極の切り欠き部に対し重なって配置された開口部を含んでいる、
ことを特徴とする液晶表示装置。
【請求項２】
前記第２電極の前記切り欠き部は、少なくとも１つの角部を有していて、
前記第１電極の前記開口部は、前記第２電極の前記切り欠き部の前記少なくとも１つの角部に重なっている、
ことを特徴とする請求項１に記載の液晶表示装置。
【請求項３】
前記第２電極と前記液晶層との間には配向膜が配置され、
前記配向膜の前記液晶層側の表面には配向処理が施され、
前記第２電極の前記切り欠き部の前記少なくとも１つの角部と前記第１電極の前記開口部の周縁において前記第２電極の前記切り欠き部の前記少なくとも１つの角部に最も近い部位と、を結ぶ方向が、前記配向処理方向とは異なる、
ことを特徴とする請求項２に記載の液晶表示装置。
【請求項４】
前記第２電極の前記切り欠き部の前記少なくとも１つの角部と前記第１電極の前記開口部の周縁において前記第２電極の前記切り欠き部の前記少なくとも１つの角部に最も近い部位と、を結ぶ方向が、前記配向処理方向と直交する、
ことを特徴とする請求項３に記載の液晶表示装置。
【請求項５】
前記第２電極の前記切り欠き部は前記第１電極の前記開口部と重ならない複数の角部をさらに含んでいて、これら複数の重ならない角部の中の少なくとも１つは、角部の２等分線が前記配向処理方向とは異なる、
ことを特徴とする請求項１乃至４のいずれか１項に記載の液晶表示装置。
【請求項６】
前記第２電極の前記切り欠き部の前記重ならない角部の中の少なくとも１つは、角部の２等分線が前記配向処理方向と直交する、
ことを特徴とする請求項５記載の液晶表示装置。
【請求項７】
前記一対の基板の他方において前記一方の基板に向いた表面に、前記一方の基板の前記第２電極に対向する対向電極が設けられており、
前記駆動手段は前記対向電極と前記第２電極との間にも電位差を生じさせることにより前記初期化を行う、
ことを特徴とする請求項１乃至６のいずれか１項に記載の液晶表示装置。
【請求項８】
前記一方の基板の前記表面には：
複数の走査線と；
複数の補助容量線と；
複数の信号線と；
前記複数の走査線と前記複数の信号線との交差部に対応して配列され、対応する走査線及び対応する信号線に接続されており、前記走査線から供給される走査信号によってスイッチング動作が制御される画素スイッチと；そして、
前記画素スイッチを介して対応する前記信号線に接続された画素電極と；
が設けられており、
前記第１電極が前記補助容量線を含んでおり、
前記第２電極が前記画素電極を含んでいる、
ことを特徴とする請求項１乃至請求項７のいずれか１項に記載の液晶表示装置。
【請求項９】
前記一方の基板の前記表面には：
複数の走査線と；
複数の信号線と；
前記複数の走査線と前記複数の信号線との交差部に対応して配列され、対応する走査線及び対応する信号線に接続されており、前記走査線から供給される走査信号によってスイッチング動作が制御される画素スイッチと；そして、
前記画素スイッチを介して対応する前記信号線に接続された画素電極と；
が設けられており、
前記第１電極が前記走査線を含んでおり、
前記第２電極が前記画素電極を含んでいる、
ことを特徴とする請求項１乃至請求項７のいずれか１項に記載の液晶表示装置。
【請求項１０】
前記他方の基板には、前記第１電極の前記開口部と重なる遮光部が設けられている、
ことを特徴とする請求項１乃至請求項９のいずれか１項に記載の液晶表示装置。
【請求項１１】
前記絶縁層は、前記第１電極の前記開口部に対応した部分が他の部分より薄い、
ことを特徴とする請求項１乃至請求項１０のいずれか１項に記載の液晶表示装置。
【請求項１２】
前記液晶層の前記液晶の前記非表示状態の配向状態はスプレイ配向であり、前記表示状態の配向状態はベンド配向である、
ことを特徴とする請求項１乃至請求項１１のいずれか１項に記載の液晶表示装置。
【発明の詳細な説明】
【技術分野】
【０００１】
本発明は、液晶表示装置に関係している。
【背景技術】
【０００２】
液晶表示装置において広視野角及び高速応答を実現可能な表示モードとしてπセルモード及びＯＣＢ（optically compensated bend）モードが知られている。これらの表示モードでは、画像を表示している間は液晶層を構成する液晶分子をベンド配向状態に維持したまま背面電極及び前面電極の近傍の液晶分子のチルト角のみを変化させる。そして、このチルト角変化に伴う液晶層のリタデーション変化を利用して画像を表示している。
【０００３】
図１３の（Ａ）はＯＣＢ表示モードを採用している液晶表示装置の液晶パネルの非表示状態における断面を概略的に示している。この図においては、液晶分子３１を含む液晶が、内表面に図示されていない走査電極，絶縁膜，そして画素スイッチ，さらに画素電極１０８及び配向膜１０９が積層された背面側の光透過基板１００と、内表面にカラーフィルタ２０７，対向電極２０８，そして配向膜２０９等が積層された前面側の光透過基板２００と、の間に挟まれている様子が示されていて、ここでは背面側の光透過基板１００上の画素電極１０８が背面電極であり、前面側の光透過基板２００上の対向電極２０８が前面電極である。そして２つの配向膜１０９，２０９及びそれらの間の液晶が液晶層３０を構成している。
【０００４】
πセル表示モード又はＯＣＢ表示モードを採用している液晶表示装置では、起動時に背面電極（画素電極１０８）と前面電極（対向電極２０８）との間に数ボルト以上の電圧を数秒乃至数分間印加して、液晶層３０を構成する液晶分子３１の配向を図１３の（Ａ）中に示されている非表示状態のスプレイ配向から図１３の（Ｂ）中に示されている表示可能状態のベンド配向へと転移させる初期化処理が必要である。
【０００５】
上述した如き初期化処理は、πセル表示モード又はＯＣＢ表示モードを採用している液晶表示装置の起動に要する時間を長くしている。即ち、電源スイッチを入れてから画像表示をさせるまでに幾分かの時間を要する。起動時に背面電極と前面電極との間に負荷する電圧を高めることで初期化時間を短縮することも可能である。しかしこの場合には、高電圧を印加するための昇圧回路が必要となり、液晶表示装置の製造コストの上昇や消費電力の増加を生じさせる。そのため、より低電圧でより短時間に確実に上記初期化処理を生じさせるための技術が検討されている。
【０００６】
特許第３３３４７１５号（特許文献１），特開２００２−２６８０７６公報（特許文献２），そして特開２００３−１４０１９４公報（特許文献３）には、上述した初期化処理を容易にする技術が記載されている。具体的には、画素電極に凹凸からなる切り欠き部やスリットを設けている。これにより、画素電極の近傍の液晶分子に液晶分子の長手方向に対し横方向あるいは斜め方向に向かう電界を印加し、スプレイ配向からベンド配向への転移を促進している。
【特許文献１】特許第３３３４７１５号
【特許文献２】特開２００２−２６８０７６公報
【特許文献３】特開２００３−１４０１９４公報
【発明の開示】
【発明が解決しようとする課題】
【０００７】
しかしながら、上述した文献に記載されているように画素電極に切り欠き部やスリットを形成した場合でも、スプレイ配向からベンド配向への液晶分子の転移が起こらない、あるいは切り欠き部やスリットを設けない場合よりも上記転移に長い時間を要することがあった。このような転移不良は、低温時や初期化処理時に液晶層に印加する電圧を低くした場合に顕著に発生した。そこで、どのようなメカニズムで上記転移が起こるのかを調べた。これを図１４を参照しながら説明する。
【０００８】
図１４は、ＯＣＢ表示モードを採用した従来の液晶表示装置の画素の一部の初期化促進構造を拡大して概略的に示している。ここにおいては、光透過基板上に走査電極に平行して形成されている補助容量電極１０６に図示されていない絶縁層を介して重なっている画素電極１０８の部分の外縁に四角形状の切り欠き部３０２が形成されている。
【０００９】
初期化処理されたときに、この画素上の液晶層の液晶分子の転移過程を高速カメラを用いて観察した。その結果、切り欠き部３０２の４つの角部のうち、下の２つの角部から上記転移が起こっており、上の２つの角部からは上記転移が起こっていないことがわかった。角部から上記転移が生じる理由は、角部に電界が集中しているためと考えられる。しかしながら、上の２つの角部から上記転移が起こらなかった理由は、上の２つの角部の夫々から生じる電気力線ＥＬの方向と画素電極１０８を覆っている配向膜１０９における配向処理方向３０３と平行になっていると考えられる。そして、下の２つの角部の夫々における電気力線ＥＬの方向は配向処理方向３０３と直交している。
【００１０】
画素電極１０８の切り欠き部３０２の近傍では液晶分子３１は電気力線ＥＬに沿って配向する。従って、下の２つの角部の夫々に生じる電気力線ＥＬの方向は配向処理方向３０３に対し直交しているので、下の２つの角部の夫々の近傍の液晶分子３１には配向処理方向３０３に対し９０°のツイスト配列が生じる。このツイスト配列を核として上記転移が容易に行われたと考えられる。そして、配向処理方向３０３に対し夫々に生じる電気力線ＥＬの方向が平行となっている上の２つの端部には、上記転移を容易にする作用が生じない。
【００１１】
上述したように、液晶表示素子の温度が下がると、或いは上記初期化時に液晶に印加する電圧を下げると、上記転移が生じる確率が低下する。上記転移を確実に起こすには、上記転移を容易にさせるような電気力線ＥＬの方向を有した角部をできるだけ多く作り出す必要がある。
【００１２】
画素電極１０８の外縁において図１４の位置から回転させた（９０°の倍数以外）角度位置に四角形状の切り欠き部３０２を形成すると、切り欠き部３０の４つの角部の夫々から生じる電気力線ＥＬの方向は配向処理方向３０３とは一致しなくなる。この場合、切り欠き部３０の４つの角部の夫々の近傍の液晶分子３１に生じるツイスト配列の捩じれは配向処理方向３０３に対し９０°未満となる。その結果、上記転移を誘起する液晶分子の配列の歪みが９０°ツイストのときより小さくなり、上記転移を生じさせる可能性が低下する。
【００１３】
また、切り欠き部の形状を複雑な多角形にして上記転移を容易にさせる角部の個数を増やすことも設計上は可能である。しかしながら実際には、加工精度の問題で、製造された角部が丸くなって電界集中が起こらなくなったり、切り欠き部の寸法が大きくなって切り欠き部が形成される画素電極が対応している画素の開口率が低下したりする不具合が生じる。
【００１４】
また、画素電極に形成する切り欠き部やスリットの数を増やせば、上記転移を発生させる確実性は増す。しかし、切り欠き部やスリットの数を増やせば、切り欠き部やスリットが形成される画素電極が対応している画素の開口率が低下し、液晶表示装置における表示品位が低下する。すなわち、１つの切り欠き部あるいはスリットから上記転移をより確実に生じさせることが重要である。
【００１５】
本発明は上記事情の下でなされ、この発明の目的は、例えばπセル表示モードやＯＣＢ表示モードなどのように設定時に初期化が必要な表示モードを採用した場合でも、液晶分子を低電圧かつ短時間で確実に初期化することが出来、しかも画素の開口率を低下させて画像表示品位を低下させることがない液晶表示装置を提供することである。
【課題を解決するための手段】
【００１６】
上述した目的を達成する為に、この発明に従った液晶表示装置は：対向する一対の光を透過する基板と；前記一対の基板間に配置され、画像を表示する為の表示状態における配向状態と画像を表示しない非表示状態における配向状態とが異なる液晶を含んでおり、液晶に表示状態で画像を表示させる前に液晶を非表示状態の配向状態から表示状態の配向状態へ初期化することが必要である液晶層と；前記一対の基板の何れか一方において他方に向いた表面に設けられた第１電極と；前記第１電極に重ねられた絶縁層と；前記絶縁層に重ねられた第２電極と；そして、前記第１電極と前記第２電極に接続され、前記液晶を駆動する液晶駆動手段と；を備えており、前記第２電極は、前記初期化を容易にする為の切り欠き部を含んでおり、そして、前記第１電極は、前記第２電極の切り欠き部に対し重なって配置された開口部を含んでいる、ことを特徴とする。
【発明の効果】
【００１７】
上述した如く構成されたことを特徴とするこの発明に従った液晶表示装置においては、第２電極に初期化を容易にする為に設けられた切り欠き部に対し重なって配置された開口部を第１電極が含んでいるので、第２電極の切り欠き部による上記初期化を容易にする作用の確実性が損なわれるような低温や初期化の為の電圧の低下といった場合でも、第２電極の切り欠き部と第１電極の開口部とが相互に協働して上記初期化をより容易に確実に行うことを可能にしている。しかも画素の開口率を低下させて画像表示品位を低下させることがない。
【発明を実施するための最良の形態】
【００１８】
［第１の実施の形態］
以下、本発明の第１の実施の形態に従った液晶表示装置の構成について図１乃至図５を参照しながら詳細に説明する。
【００１９】
最初に、図１及び図２を参照しながら本発明の第１の実施の形態に従った液晶表示装置の要部である液晶表示パネル１について説明する。
【００２０】
図１は、本発明の第１の実施の形態に従った液晶表示装置の要部である液晶表示パネル１の概略的な平面図であり、そして、図２は、図１の液晶表示パネル１の概略的な断面図である。
【００２１】
第１の実施の形態に従った液晶表示装置は、ＯＣＢ表示モードを採用したアクティブマトリクス型液晶表示装置である。この液晶表示装置は、液晶表示パネル１と、図１の紙面の裏側及び図２の下方で液晶表示パネル１と向き合うように配置されたバックライト（図示せず）と、そして液晶表示パネル１に接続された走査線ドライバ２，信号線ドライバ３，及び補助容量線駆動回路４と、を含んでいる。
【００２２】
液晶表示パネル１は、図示しないバックライト側である背面側のアレイ基板１０と前面側の対向基板２０とを含んでいる。アレイ基板１０と対向基板２０との間には、枠状のシール（図示せず）が介在している。アレイ基板１０と対向基板２０との間で枠状のシールに囲まれた空間は液晶材料で満たされており、上記空間中の液晶材料は液晶層３０を形成している。枠状のシールは、例えばエポキシ系やアクリル系の接着剤により形成することができる。
【００２３】
アレイ基板１０は、例えば透明なガラス基板やプラスティック基板などの光透過基板１００を含んでいる。光透過基板１００の外面上には光学補償フィルム４０及び偏光板５０が積層されている。
【００２４】
光透過基板１００上には、複数の走査線１０１と複数の補助容量線１０６とが配置されている。複数の走査線１０１はＹ方向に相互に同じ間隔で離間した状態で夫々がＸ方向に延びている。複数の補助容量線１０６は、複数の走査線１０１の相互間で夫々がＸ方向に延びている。
【００２５】
走査線１０１と補助容量線１０６とは、同一の工程で形成することができる。また、これらの材料としては、例えば、金属又は合金を使用することができる。
【００２６】
走査線１０１と補助容量線１０６は、絶縁層１０２で被覆されている。絶縁層１０２としては、例えばシリコン酸化膜を使用することができる。
【００２７】
絶縁層１０２上には、半導体層１０３が走査線１０１の所定の複数の位置から走査線１０１の延出方向に対し直交する方向に突出した突出部分１０１ａに対応して配置されている。これら半導体層１０３の夫々は、走査線１０１の対応する突出部分１０１ａと交差している。半導体層１０３は、例えばアモルファスシリコンからなる。各半導体層１０３上には、図示しないチャネル保護層及びオーミック層が形成されている。
【００２８】
走査線１０１の突出部分１０１ａと、半導体層１０３と、絶縁層１０２において走査線１０１の突出部分１０１ａと半導体層１０３との間に位置した部分とで薄膜トランジスタ（TFT：thin film transistor）を形成している。薄膜トランジスタは、画素スイッチ１０４として利用される。走査線１０１の突出部分１０１ａは薄膜トランジスタのゲート電極として使用される。絶縁層１０２の上記部分は薄膜トランジスタのゲート絶縁膜として機能する。
【００２９】
この実施の形態において画素スイッチ１０４はｎチャネル薄膜トランジスタであり、より具体的には、アモルファスシリコンｎチャネル薄膜トランジスタである。しかしながら、画素スイッチ１０４は、これに限定されるものではない。画素スイッチ１０４は、ポリシリコン薄膜トランジスタとして形成されることが出来る。或いは、このような薄膜トランジスタの代わりに、例えば薄膜ダイオードなどの他のスイッチング素子として形成されてよい。
【００３０】
絶縁層１０２上には、Ｘ方向に相互に同じ間隔で離間した状態で複数の画素スイッチ１０４の近傍を夫々がＹ方向に延びている複数の信号線１０５ａがさらに配置されている。信号線１０５ａは、隣接する画素スイッチ１０４が含む半導体層１０３のドレインを被覆している。すなわち、信号線１０５ａにおいて隣接する画素スイッチ１０４が含む半導体層１０３のドレインを被覆している部分は、画素スイッチ１０４のドレイン電極として機能する。
【００３１】
絶縁層１０２上には、複数の画素スイッチ１０４に対応して複数の画素スイッチ１０４の為の複数のソース電極１０５ｂも配置されている。ソース電極１０５ｂの延出端部は絶縁膜１０２を介して対応する補助容量線１０６の部分に重なっている。ソース電極１０５ｂの延出端部と補助容量線１０６の上記部分とそれらの間に介在した絶縁膜１０２とは、キャパシタを形成している。
【００３２】
絶縁膜１０２上にはまた、Ｘ方向に延出している複数の走査線１０１とＹ方向に延出している複数の信号線１０５ａとで囲まれた複数の領域に、光を透過する複数の画素電極１０８が配置されている。これら画素電極１０８の夫々は、対応するソース電極１０５ｂに接続されている。画素電極１０８の材料として、例えばＩＴＯ（indium tin oxide）を使用することができる。
【００３３】
絶縁膜１０２上にはさらに、アレイ基板１０の光透過基板１００の内表面において対向基板２０に対向している領域の外側に対応した部分で、複数の走査線１０１の延長上に複数の走査線１０１に接続された複数の走査信号入力端子１０１ｂが形成されている。上記外側対応部分にはさらに、複数の信号線１０５ａの延長上に複数の信号線１０５ａに接続された複数の画像信号入力端子１０５ｃが形成されている。上記外側対応部分にはまたさらに、複数の補助容量線１０６の延長上に複数の補助容量線１０６に接続された複数の補助容量線入力端子１０６ａが形成されている。これら走査信号入力端子１０１ｂ，画像信号入力端子１０５ｃ，そして補助容量線入力端子１０６ａの材料として、例えば金属又は合金を使用することができる。
【００３４】
アレイ基板１０の光透過基板１００の内表面において対向基板２０に対向している領域では、画素電極１０８の上方に配向膜１０９が積層されていて、配向膜１０８は複数の画素電極１０８を被覆している。配向膜１０９は、それに隣接した液晶分子を、比較的大きなプレチルト角，例えば５°乃至１０°，で傾斜配向させるよう配向処理されている。
【００３５】
配向膜１０９は、例えばアクリル，ポリイミド，ナイロン，ポリアミド，ポリカーボネート，ベンゾシクロブテンポリマー，ポリアクリルニトリル，ポリシラン等の有機膜にラビングなどの配向処理を施すことにより得られる。或いは、配向膜１０９は、例えばシリコン酸化物を斜方蒸着することによっても得られる。これらの中でも、ポリイミド，ポリアクリルニトリル，そしてナイロンが成膜の容易さや化学的安定性において優れている。この実施の形態では、配向膜１０９として、Ｘ方向とＹ方向の中間の方向（Ｘ方向からＹ方向に向かい４５度立ち上った方向）に沿ってラビング処理したポリイミド膜が使用されている。図１には、配向処理方向３０３が示されている。
【００３６】
対向基板２０も、例えば透明なガラス基板やプラスティック基板などの光透過基板２００を含んでいる。光透過基板２００の外面上にも、光学補償フィルム４０及び偏光板５０が順次積層されている。
【００３７】
光透過基板２００の内表面上には、アレイ基板１０の光透過基板１００の内表面上に相互間に絶縁層１０２を介して格子状に形成されている複数の走査電極１０１及び複数の信号線１０５ａに対応して、例えばクロムなどを用いて格子状のブラックマトリックス２０６が形成されている。ブラックマトリックス２０６は遮光部を構成している。
【００３８】
光透過基板２００の内表面上にはさらに、ブラックマトリックス２０６により区分された複数の領域に所定の配列で並べられた青（Ｂ），緑（Ｇ），赤（Ｒ）の３色の複数の着色層を含むカラーフィルタ２０７が配置されている。
【００３９】
カラーフィルタ２０７上には、アレイ基板１０の複数の画像電極１０８に対向して複数の対向電極２０８が形成されている。対向電極２０８は、画素電極１０８と向き合った共通電極である。対向電極２０８の材料として、例えばＩＴＯを使用することができる。
【００４０】
対向電極２０８上には配向膜２０９が配置されていて、対向電極２０８は配向膜２０９により被覆されている。配向膜２０９は、アレイ基板１０の配向膜１０９と同様の膜を使用することができる。配向膜２０９は、配向膜１０９と同じ向きにラビング処理されたポリイミド膜を使用している。
【００４１】
アレイ基板１０と対向基板２０との間であって液晶層３０の外側の前述した図示されていない枠状のシールの外側には、複数の対向電極２０８をアレイ基板１０に接続している図示しないトランスファ電極が配置されている。
【００４２】
アレイ基板１０の配向膜１０９と対向基板２０の配向膜２０９との間で図示されていない枠状のシールに囲まれた空間には、格子状のブラックマトリックス２０６に対応して、複数の図示しない柱状のスペーサが、アレイ基板１０或いは対向基板２０の少なくとも一方に形成されている。これらスペーサは、アレイ基板１０の配向膜１０９と対向基板２０の配向膜２０９との間で図示されていない枠状のシールに囲まれた空間で複数の画素電極１０８に対応した複数の領域をほぼ一定の高さに保つ。
【００４３】
アレイ基板１０の個々の画素電極１０８と、対向基板２０において個々の画素電極１０８に対向する対向電極２０８と、個々の画素電極１０８に対応した配向膜１０９の部分と、個々の画素電極１０８に対向する対向電極２０８に対応した配向膜２０９の部分と、配向膜１０９の上記部分と配向膜２０９の上記部分との間の液晶層３０の部分と、は、１つの画素を形成している。各画素は、画素スイッチ１０４とキャパシタとを含んでいる。また、アレイ基板１０と、対向基板２０と、それらの間に介在した図示されていない枠状のシールと、アレイ基板１０と上記シールとで囲まれた空間に満たされた液晶層３０と、は、液晶セルを構成している。
【００４４】
光学補償フィルム４０は、例えば、二軸性フィルムである。この光学補償フィルム４０としては、屈折率異方性が負の一軸性化合物、例えばディスコティック液晶化合物をその光学軸がＸ方向に垂直な面内で変化するようにベンド配向させた光学異方性層を含んでいるものを使用することができる。
【００４５】
アレイ基板１０の光透過基板１００の外表面に貼られた光学補償フィルム４０のリタデーション及び対向基板２０の光透過基板２００の外表面に貼られた光学補償フィルム４０のリタデーションの合計は、例えば、液晶層３０のＯＮ状態（光透過状態）におけるリタデーションとほぼ等しくする。この場合、光学補償フィルム４０は、例えば、ＯＮ状態（光透過状態）における液晶層３０と光学補償フィルム４０との組み合わせにおけるリタデーションがほぼゼロとなるように配置する。
【００４６】
偏光板５０は、例えば、それらの透過軸が互いに略直交するように配置する。また、各偏光板５０は、例えば、その透過軸がＸ方向及びＹ方向に対して約４５°の角度を為すように配置する。
【００４７】
アレイ基板１０の光透過基板１００において対向基板２０の光透過基板２００と対向した部分の外側の外側対応部分に、走査線ドライバ２，信号線ドライバ３，そして補助容量線駆動回路４が配置されていて、上記外側対応部分に前述した如く形成されている複数の走査信号入力端子１０１ａ、複数の画像信号入力端子１０５ｃ，そして複数の補助容量線入力端子１０６ａに接続されている。この実施の形態において走査線ドライバ２，信号線ドライバ３，そして補助容量線駆動回路４の夫々は、上記外側対応部分にＣＯＧ（chip on glass）実装されているが、その代わりにＴＣＰ（tape carrier package）実装されていてもよい。
【００４８】
図示しないバックライトが、液晶表示パネル１の背面側のアレイ基板１０の背面側（図１の紙面の背面側であり、図２のアレイ基板１０の偏光板５０の下方に配置されている。
【００４９】
本発明に従った液晶表示装置の液晶表示パネルは、図２に示した構造に限定されず、カラーフィルタ・オン・アレイ構造を採用してもよく、ブラックマトリクス・オン・アレイ構造を採用してもよい。
【００５０】
図１及び図２中に示されている液晶表示装置の液晶表示パネル１は以下のようにして製造されている。
【００５１】
アレイ基板１０の作製の際には、最初に、透明ガラス製の光透過基板１００上に複数の走査線１０１及び複数の補助容量線１０６をクロムにより形成した。
【００５２】
次に、複数の走査線１０１及び複数の補助容量線１０６を酸化シリコン膜からなるゲート絶縁膜（図示せず）によって被覆した。ゲート絶縁膜上にアモルファスシリコンからなる半導体層１０３を形成し、半導体層１０３をパターニングした。次に、半導体層１０３上に窒化シリコンからなるチャネル保護層（図示せず）を形成し、半導体層１０３及びチャネル保護層上に図示しないオーミック層（図示せず）を形成した。
【００５３】
次に、ゲート絶縁膜上に、複数の信号線１０５ａ，複数のソース電極１０５ｂ，複数の走査信号入力端子１０１ｂ，複数の画像信号入力端子１０５ｃ，そして複数の補助容量線入力端子１０６ａを形成した。これらの上に窒化シリコンからなるパッシベーション膜（図示せず）を形成した。パッシベーション膜（図示せず）上に、複数の画素電極１０８を形成した。上述のゲート絶縁膜（図示せず）とパッシベーション膜（図示せず）の積層物は、複数の画素電極１０８と複数の補助容量線１０６を互いに絶縁する絶縁膜１０２として機能する。
【００５４】
対向基板２０を作製する際には、最初に、透明ガラス製の光透過基板２００上にクロム膜を形成し、これをパターニングしてブラックマトリクス２０６を得た。次に、光透過基板２００上に、赤，緑，そして青の３色の顔料を夫々混入した３種類の感光性アクリル樹脂を用いて、ブラックマトリクス２０６により格子状に区分けされた複数の領域に上記３色の樹脂が所定の配列で並べられたカラーフィルタ２０７を形成した。
【００５５】
次に、カラーフィルタ２０７上に、透明なアクリル樹脂を塗布して、図示しない平坦化層（オーバーコート）を形成した。その後、平坦化層上にＩＴＯをスパッタリングすることにより複数の対向電極２０８を形成した。さらに、平坦化層上に、フォトリソグラフィ法を利用して、複数の柱状スペーサ（図示せず）を形成した。夫々の柱状スペーサは、高さが５μｍであり、底面の寸法が５μｍ×１０μｍである。これら柱状スペーサは、アレイ基板１０と対向基板２０とを前述した図示しないシール及び液晶層３０を介在させて貼り合せたときにアレイ基板１０の複数の信号線１０５ａ上になるように形成した。
【００５６】
アレイ基板１０上の複数の画素電極１０８及び対向基板２０上の複数の対向電極２０８を洗浄した後、複数の画素電極１０８を含むアレイ基板１０の内表面上及び複数の対向電極２０８を含む対向基板２０の内表面上に、オフセット印刷によってポリイミド溶液（例えば、日産化学製ＳＥ−５２９１）を塗布した。これら塗膜を、ホットプレートを用いて９０℃で１分間加熱し、さらに２００℃で３０分間加熱した。このようにして、複数の画素電極１０８を含むアレイ基板１０の内表面上及び複数の対向電極２０８を含む対向基板２０の内表面上に、配向膜１０９及び２０９を形成した。
【００５７】
次に、配向膜１０９及び２０９を、コットン製の布を用いてラビングした。配向膜１０９に対するラビングの方向と配向膜２０９に対するラビングの方向とは、アレイ基板１０と対向基板２０とを前述した如くこれらの間に図示しないシール及び液晶層３０を介在させて貼り合せたときに相互に同じになるように行った。また、各々のラビングには、毛先の直径が０．１μｍ乃至１０μｍのコットン製ラビング布を使用し、ラビングローラの回転数を５００ｒｐｍ、基板移動速度を２０ｍｍ／ｓ、押し込み量を０．７ｍｍ、ラビングの回数を１回とした。また、ラビング後、配向膜１０９及び２０９を、中性の界面活性剤を主成分とする水溶液で洗浄した。
【００５８】
次に、対向基板２０の配向膜２０９の周辺部にエポキシ系のシール剤を、液晶注入口となる部分を除いて枠状に塗布した。アレイ基板１０及び対向基板２０を、配向膜１０９と配向膜２０９が向き合うように、かつそれらのラビング方向が互いに等しくなるように貼りあわせ、荷重をかけながらシール剤を硬化させ、アレイ基板１０と対向基板２０との間の枠状のシールで囲まれた空洞をもつセルを作製した。
【００５９】
次に、セルを真空チャンバ内に搬入し、このセルの上記空洞内を真空とし、上記液晶注入口から液晶材料（例えば、メルクジャパン社製Ｅ７）を注入した。さらに、セルの液晶注入口をエポキシ系接着剤で塞いた。アレイ基板１０と対向基板２０との間で前述した枠状のシールにより囲まれた液晶で満たされた空洞は、対向基板２０上に前述した如く形成された柱状スペーサによって所定の距離（約５μｍ）に保たれた。
【００６０】
次に、アレイ基板１０の光透過基板１００の外表面に光学補償フィルム４０及び偏光板５０を順次貼り付けると共に、対向基板２０の光透過基板２００の外表面に光学補償フィルム４０及び偏光板５０を順次貼り付ける。ここでは、アレイ基板１０の個々の画素電極１０８と対向基板２０の対応する対向電極２０８との間に５Ｖの電圧を印加した状態における個々の画素電極１０８と対応する対向電極２０８との間の液晶層３０の部分と、アレイ基板１０及び対向基板２０に貼り付けた計２枚の光学補償フィルム４０と、の組み合わせのリタデーションが、基板面内でほぼゼロとなる設計を採用した。また、アレイ基板１０の偏光板５０と対向基板２０の偏光板５０とは、それらの透過軸が互いに略直交すると共に、各々の透過軸がＸ方向及びＹ方向に対して平行及び直交を為すように配置した。
【００６１】
さらに、アレイ基板１０上の複数の走査信号入力端子１０６の延出端，複数の画像信号入力端子１０５ｃの延出端，そして複数の補助容量線入力端子１０６ａの延出端に走査線ドライバ２，信号線ドライバ３，そして補助容量線駆動回路４を接続した。
【００６２】
最後に、液晶表示パネル１のアレイ基板１０の背面側にバックライトを組み合わせて、液晶表示装置を完成した。
【００６３】
次に、図３乃至図５を参照しながら、上述した第１の実施の形態に従った液晶表示装置の液晶表示パネルにおける画素の初期化促進構造を説明する。
【００６４】
この実施の形態の１つの画素３００における画素電極１０８は、対応する２つの信号線１０５ａに沿った２つの縁の複数の位置及び対応する補助容量線１０６に対面した複数の部分の夫々に前述した初期化を容易にさせるための四角形状の切り欠き３０２が形成されている。
【００６５】
またこの実施の形態の１つの画素３００における補助容量線１０６は、画素電極１０８の上記２つの縁に重なるよう上記対応する２つの信号線１０５ａに沿って延出する２対の延出部１０６ｂを備えていて、補助容量線１０６及び２対の延出部１０６ｂの夫々に画素電極１０８の複数の切り欠き部３０２に対し重なって配置された複数の開口部３０１が形成されている。
【００６６】
開口部３０１がない場合、従来と同様に、複数の切り欠き部３０２の夫々の４つの角部において、それぞれの角部の２等分線に沿い発生する４つの電気力線ＥＬの中で２つは配向処理方向３０３に対し直交し、残る２つは配向処理方向３０３に沿う。
【００６７】
しかしながらこの実施の形態では、対応する開口部３０１の周縁の一部Ｐを上記残る２つの角部の中の１つに接近するよう尖らせることにより、図４中に示されている如く、上記残る２つの角部の中の１つから発生する電気力線ＥＬを配向処理方向３０３に対し直行する方向や配向処理方向３０３と交差する方向（図３中で補助容量線１０６の中央に位置する開口部３０１と対応する画素電極１０８の切り欠き部３０２の組み合わせを参照）に向けるようにしている。この結果、複数の切り欠き部３０２の夫々の４つの角部の中の３つの角部から発生する電気力線ＥＬが配向処理方向３０３に対し直行する方向に向けられ、又は４つの角部から発生する電気力線ＥＬが配向処理方向３０３に対し交差する方向に向けられるので、開口部３０１と組み合わされない従来と比べると、複数の切り欠き部３０２の夫々が対応する液晶分子を図１３の（Ａ）及び（Ｂ）を参照しながら前述した如くスプレイ配向からベンド配向へ転移させることが確実に容易になる。
【００６８】
このことは、低温時や、初期化処理の為に背面側のアレイ基板１０の画素電極（背面電極）１０８と前面側の対向基板２０の対向電極（前面電極）２０８との間に負荷させる電圧を幾分下げても、上記転移を短時間で確実に行わせることが出来ることを意味している。
【００６９】
しかも、補助容量線１０６、及び対応する画素電極１０８において複数の切り欠き部３０２が形成されている前述した２つの縁に重なるよう対応する２つの信号線１０５ａに沿って延出する補助容量線１０６の２対の延出部１０６ｂに形成されている複数の開口部３０１は対応する画素３００の開口率を低下させて画像表示品位を低下させることがない。
【００７０】
図５には、図３のＶ−Ｖ線に沿った断面が概略的に示されている。ここにおいて複数の画素電極１０８と複数の補助容量線１０６を互いに絶縁する絶縁膜１０２は、前述した如く、複数の走査線１０１及び複数の補助容量線１０６を被覆したゲート絶縁膜（図示せず）と、ゲート絶縁膜（図示せず）上に形成された複数の信号線１０５ａ及び複数のソース電極１０５ｂを被覆しその上に複数の画素電極１０８が形成された窒化シリコンからなるパッシベーション膜（図示せず）との組み合わせにより構成されている。
【００７１】
しかしながら、補助容量線１０６に形成した開口部３０１上の絶縁層１０２´を上述したゲート絶縁膜（図示せず）のみで構成することにより、図６中に示す如く、図５中に示されている絶縁層１０２の断面に比べ厚さを薄くすることが出来る。補助容量線と画素電極の切り欠き部端部の電界強度が増え、転移確率を向上することができる。
【００７２】
−２０℃において、この液晶表示装置の走査線（ゲート線）１０１に＋２５Ｖのパルス、信号線１０５ａに±５Ｖ、補助容量線１０６に−１Ｖ、対向電極２０８に±２０Ｖを印加し、前述した転移の為の初期化処理を行なった。その結果、液晶表示パネル１の画面全体、即ち全て画素３００、においてが０．５秒で前述した初期化の為の液晶層３０の液晶分子３１の非表示状態のスプレイ配向（図１３の（Ａ）参照）から表示可能状態のベンド配向（図１２の（Ｂ）参照）への転移が完了し、ムラは生じなかった。この液晶表示装置の液晶表示パネル１の画面の正面から見たコントラスト比は４００：１であり、応答時間は５ｍｓであった。視野角（コントラスト比が１０：１以上であり且つ階調反転を生じない条件を満足する）は、上下方向及び左右方向とも７０°以上であり、優れた画像表示品位を得ることができた。
【００７３】
このように、画素電極１０８の切り欠き部３０２に対し重なるよう補助容量線１０６に開口部３０１を形成することで、画素電極１０８の切り欠き部３０２の形状だけでは実現することができない電気力線ＥＬの方向の制御が可能となる。その結果、画素電極１０８の切り欠き部３０２により、πセル表示モードやＯＣＢ表示モードなどの、液晶層３０中の液晶分子３１の非表示状態から表示状態への初期化が必要な表示モードを採用した液晶表示装置の液晶表示パネル１でも、低温時や従来よりも低電圧を負荷した場合に、従来よりも短時間で確実に上記初期化を行なうことが出来る。
【００７４】
［第２の実施の形態］
次に、図７を参照しながらこの発明の第２の実施の形態に従った液晶表示装置の要部を説明する。
【００７５】
この発明の第２の実施の形態に従った液晶表示装置が、前述した第１の実施の形態に従った液晶表示装置と異なっているのは、液晶表示パネル１における画素３００の初期化促進構造の細部である。
【００７６】
この実施の形態の１つの画素３００における画素電極１０８は、図３を参照しながら前述した第１の実施の形態の場合と同様に、対応する２つの信号線１０５ａに沿った２つの縁の複数の位置及び対応する補助容量線１０６に対面した複数の部分の夫々に前述した初期化を容易にさせるための四角形状の切り欠き３０２が形成されている。
【００７７】
そして実施の形態の１つの画素３００における補助容量線１０６は、画素電極１０８の上記２つの縁に重なるよう上記対応する２つの信号線１０５ａに沿って延出する２対の延出部１０６ｂを備えていて、補助容量線１０６及び２対の延出部１０６ｂの夫々に画素電極１０８の複数の切り欠き部３０２に対し重なって配置された複数の開口部３０１及び３０１ａが形成されている。
【００７８】
この実施の形態では、図３を参照しながら前述した第１の実施の形態の場合とは、補助容量線１０６の２対の延出部１０６ｂの夫々に画素電極１０８の２つの縁の複数の切り欠き部３０２に対し重なって配置された複数の開口部３０１ａの平面形状が異なっている。
【００７９】
開口部３０１や３０１ａがない場合、従来と同様に、複数の切り欠き部３０２の夫々の４つの角部において、それぞれの角部の２等分線に沿い発生する４つの電気力線ＥＬの中で２つは配向処理方向３０３に対し直交し、残る２つは配向処理方向３０３に沿う。
【００８０】
しかしながらこの実施の形態では、対応する開口部３０１ａの周縁の一部ＳＬを上記残る２つの角部の中の１つに接近するよう斜めに傾斜させることにより、図７中に示されている如く、上記残る２つの角部の中の１つから発生する電気力線ＥＬを配向処理方向３０３に対し直行する方向や配向処理方向３０３と交差する方向（図７中で補助容量線１０６の中央に位置する開口部３０１と対応する画素電極１０８の切り欠き部３０２の組み合わせを参照）に向けるようにしている。この結果、複数の切り欠き部３０２の夫々の４つの角部の中の３つの角部から発生する電気力線ＥＬが配向処理方向３０３に対し直行する方向に向けられ、又は４つの角部から発生する電気力線ＥＬが配向処理方向３０３に対し交差する方向に向けられるので、開口部３０１や３０１ａと組み合わされない従来と比べると、複数の切り欠き部３０２の夫々が対応する液晶分子を図１３の（Ａ）及び（Ｂ）を参照しながら前述した如くスプレイ配向からベンド配向へ転移させることが確実に容易になる。
【００８１】
そして、図３中に図示されていた第１の実施の形態の初期化促進構造と同様の効果を得ることが出来る。
【００８２】
［第３の実施の形態］
次に、図８を参照しながらこの発明の第３の実施の形態に従った液晶表示装置の要部を説明する。
【００８３】
この発明の第３の実施の形態に従った液晶表示装置が、前述した第１の実施の形態に従った液晶表示装置と異なっているのは、液晶表示パネル１における画素３００の初期化促進構造の細部である。
【００８４】
この実施の形態の１つの画素３００における画素電極１０８は、図３を参照しながら前述した第１の実施の形態の場合と同様に、対応する２つの信号線１０５ａに沿った２つの縁の複数の位置及び対応する補助容量線１０６に対面した複数の部分の夫々に前述した初期化を容易にさせるための四角形状の切り欠き３０２が形成されている。
【００８５】
そして実施の形態の１つの画素３００における補助容量線１０６は、画素電極１０８の上記２つの縁に重なるよう上記対応する２つの信号線１０５ａに沿って延出する２対の延出部１０６ｂを備えていて、補助容量線１０６及び２対の延出部１０６ｂの夫々に画素電極１０８の複数の切り欠き部３０２に対し重なって配置された複数の開口部３０１及び３０１ｂが形成されている。
【００８６】
この実施の形態では、図３を参照しながら前述した第１の実施の形態の場合とは、補助容量線１０６の２対の延出部１０６ｂの夫々に画素電極１０８の２つの縁の複数の切り欠き部３０２に対し重なって配置された複数の開口部３０１ｂの平面形状が異なっている。
【００８７】
開口部３０１や３０１ｂがない場合、従来と同様に、複数の切り欠き部３０２の夫々の４つの角部において、それぞれの角部の２等分線に沿い発生する４つの電気力線ＥＬの中で２つは配向処理方向３０３に対し直交し、残る２つは配向処理方向３０３に沿う。
【００８８】
しかしながらこの実施の形態では、対応する開口部３０１ｂの周縁の一部ＲＰを上記残る２つの角部の間に突出させ、突出端部に上記残る２つの角部に接近した２つの角部を有するよう角張らせることにより、図８中に示されている如く、上記残る２つの角部の夫々から発生する電気力線ＥＬを配向処理方向３０３に対し直行する方向や配向処理方向３０３と交差する方向に向けるようにしている。この結果、複数の切り欠き部３０２の夫々の４つの角部から発生する電気力線ＥＬが配向処理方向３０３に対し直行する方向又は配向処理方向３０３と交差する方向に向けられるので、開口部３０１や３０１ｂと組み合わされない従来と比べると、複数の切り欠き部３０２の夫々が対応する液晶分子を図１３の（Ａ）及び（Ｂ）を参照しながら前述した如くスプレイ配向からベンド配向へ転移させることが確実に容易になる。
【００８９】
そして、図３中に図示されていた第１の実施の形態の初期化促進構造よりもより良い初期化促進効果を得ることが出来る。
【００９０】
［第４の実施の形態］
次に、図９を参照しながらこの発明の第４の実施の形態に従った液晶表示装置の要部を説明する。
【００９１】
この発明の第４の実施の形態に従った液晶表示装置が、前述した第１の実施の形態に従った液晶表示装置と異なっているのは、液晶表示パネル１における画素３００の初期化促進構造の細部である。
【００９２】
この実施の形態では、配向処理方向３０３´が図３を参照しながら前述した第１の実施の形態の場合の配向処理方向３０３とは異なり、走査線１０１や補助容量線１０６の延出方向と同じである。
【００９３】
そして、この実施の形態の１つの画素３００における画素電極１０８は、図３を参照しながら前述した第１の実施の形態の場合と同様に、対応する２つの信号線１０５ａに沿った２つの縁の複数の位置及び対応する補助容量線１０６に対面した複数の部分の夫々に前述した初期化を容易にさせるための四角形状の切り欠き３０２´が形成されているが、四角形状の切り欠き３０２´は、図３を参照しながら前述した第１の実施の形態の四角形状の切り欠き３０２´に対し傾斜されている。
【００９４】
そして実施の形態の１つの画素３００における補助容量線１０６は、画素電極１０８の上記２つの縁に重なるよう上記対応する２つの信号線１０５ａに沿って延出する２対の延出部１０６ｂを備えていて、補助容量線１０６及び２対の延出部１０６ｂの夫々に画素電極１０８の複数の切り欠き部３０２´に対し重なって配置された複数の開口部３０１ｃが形成されている。
【００９５】
この実施の形態では、図３を参照しながら前述した第１の実施の形態の場合とは、補助容量線１０６及び補助容量線１０６の２対の延出部１０６ｂの夫々に画素電極１０８の複数の切り欠き部３０２´に対し重なって配置された複数の開口部３０１ｃの平面形状が異なっている。
【００９６】
開口部３０１ｃがない場合、複数の切り欠き部３０２´の夫々の４つの角部において、それぞれの角部の２等分線に沿い発生する４つの電気力線ＥＬの中で３つは配向処理方向３０３´に対し直交する方向に向かうか、或いは配向処理方向３０３´と交差する方向に向かい、残る１つは配向処理方向３０３´に沿う。
【００９７】
しかしながらこの実施の形態では、対応する開口部３０１ｃの周縁の一部Ｐ´を上記残る１つの角部の中の１つに接近するよう尖らせることにより、図９中に示されている如く、上記残る１つの角部から発生する電気力線ＥＬを配向処理方向３０３´に対し交差する方向に向けるようにしている。この結果、複数の切り欠き部３０２´の夫々の４つの角部から発生する電気力線ＥＬが配向処理方向３０３´に対し交差する方向に向けられるので、開口部３０１ｃと組み合わされない従来と比べると、複数の切り欠き部３０２´の夫々が対応する液晶分子を図１３の（Ａ）及び（Ｂ）を参照しながら前述した如くスプレイ配向からベンド配向へ転移させることが確実に容易になる。
【００９８】
［第５の実施の形態］
次に、図１０を参照しながらこの発明の第５の実施の形態に従った液晶表示装置の要部を説明する。
【００９９】
この発明の第５の実施の形態に従った液晶表示装置が、前述した第１の実施の形態に従った液晶表示装置と異なっているのは、液晶表示パネル１における画素３００の初期化促進構造の細部である。
【０１００】
この実施の形態の１つの画素３００における画素電極１０８は、図３を参照しながら前述した第１の実施の形態の場合と同様に、対応する２つの信号線１０５ａに沿った２つの縁の複数の位置及び対応する補助容量線１０６に対面した複数の部分の夫々に前述した初期化を容易にさせるための四角形状の切り欠き３０２が形成されている。この実施の形態の１つの画素３００における画素電極１０８にはさらに、上記１つの画素３００に対応する画素スイッチ１０４が形成されていない方の走査線１０１に沿った縁にも前述した初期化を容易にさせるための四角形状の切り欠き３０２が形成されている。
【０１０１】
そして実施の形態の１つの画素３００における補助容量線１０６は、画素電極１０８の上記２つの縁に重なるよう上記対応する２つの信号線１０５ａに沿って延出する２対の延出部１０６ｂ，１０６ｂ´を備えていて、補助容量線１０６及び２対の延出部１０６ｂの夫々に画素電極１０８の複数の切り欠き部３０２に対し重なって配置された複数の開口部３０１ｄが形成されている。この実施の形態ではさらに、１つの画素３００の画素電極１０８において上記１つの画素３００に対応する画素スイッチ１０４が形成されていない方の走査線１０１に沿った縁に向かい延出する１対の延出部１０６ｂ´の延出端が、１つの画素３００の画素電極１０８において上記１つの画素３００に対応する画素スイッチ１０４が形成されていない方の走査線１０１に沿った縁に沿い延出するよう曲げられていて相互につながっている。この折り曲げ部分にも、画素電極１０８において上記１つの画素３００に対応する画素スイッチ１０４が形成されていない方の走査線１０１に沿った縁に形成されている四角形状の切り欠き３０２に対し重なって配置された複数の開口部３０１ｄが形成されている。
【０１０２】
開口部３０１ｄがない場合、従来と同様に、複数の切り欠き部３０２の夫々の４つの角部において、それぞれの角部の２等分線に沿い発生する４つの電気力線ＥＬの中で２つは配向処理方向３０３に対し直交し、残る２つは配向処理方向３０３に沿う。
【０１０３】
しかしながらこの実施の形態では、１つの切り欠き部３０２に対し上記残る２つ角部に対応して２つの開口部３０１ｄが形成されていて、上記残る２つ角部の夫々に対応した開口部３０１ｄの１つの角部ＣＰが上記残る２つ角部の夫々に接近されている。１つの切り欠き部３０２の上記残る２つ角部に接近された上記残る２つ角部の夫々に対応した開口部３０１ｄの１つの角部ＣＰは、図１０中に示されている如く、上記残る２つの角部の夫々から発生する電気力線ＥＬを配向処理方向３０３に対し直行する方向や配向処理方向３０３と交差する方向に向けるようにしている。この結果、複数の切り欠き部３０２の夫々の４つの角部から発生する電気力線ＥＬが配向処理方向３０３に対し直行する方向又は配向処理方向３０３と交差する方向に向けられるので、開口部３０１ｄと組み合わされない従来と比べると、複数の切り欠き部３０２の夫々が対応する液晶分子を図１３の（Ａ）及び（Ｂ）を参照しながら前述した如くスプレイ配向からベンド配向へ転移させることが確実に容易になる。
【０１０４】
そして、図３中に図示されていた第１の実施の形態の初期化促進構造よりもより良い初期化促進効果を得ることが出来る。
【０１０５】
［第６の実施の形態］
次に、図１１を参照しながらこの発明の第６の実施の形態に従った液晶表示装置の要部を説明する。
【０１０６】
この発明の第６の実施の形態に従った液晶表示装置が、前述した第１の実施の形態に従った液晶表示装置と異なっているのは、液晶表示パネル１における画素３００の初期化促進構造の細部である。
【０１０７】
この実施の形態の１つの画素３００における画素電極１０８は、図３を参照しながら前述した第１の実施の形態の場合とは異なり、上記１つの画素３００に対応する画素スイッチ１０４が形成されていない側の走査線１０１に沿った縁に前述した初期化を容易にさせるための四角形状の切り欠き３０２が形成されている。
【０１０８】
そして実施の形態の１つの画素３００に対応する画素スイッチ１０４が形成されていない側の走査線１０１に、画素電極１０８の切り欠き部３０２に対し重なって配置された複数の開口部３０１ｅが形成されている。
【０１０９】
開口部３０１ｅがない場合、従来と同様に、切り欠き部３０２の４つの角部において、それぞれの角部の２等分線に沿い発生する４つの電気力線ＥＬの中で２つは配向処理方向３０３に対し直交し、残る２つは配向処理方向３０３に沿う。
【０１１０】
しかしながらこの実施の形態では、１つの切り欠き部３０２に対し上記残る２つ角部に対応して２つの開口部３０１ｅが形成されていて、上記残る２つ角部の夫々に対応した開口部３０１ｅの１つの角部ＣＰが上記残る２つ角部の夫々に接近されている。１つの切り欠き部３０２の上記残る２つ角部に接近された上記残る２つ角部の夫々に対応した開口部３０１ｅの１つの角部ＣＰは、図１１中に示されている如く、上記残る２つの角部の夫々から発生する電気力線ＥＬを配向処理方向３０３に対し直行する方向や配向処理方向３０３と交差する方向に向けるようにしている。この結果、切り欠き部３０２の４つの角部から発生する電気力線ＥＬが配向処理方向３０３に対し直行する方向又は配向処理方向３０３と交差する方向に向けられるので、開口部３０１ｅと組み合わされない従来と比べると、切り欠き部３０２の夫々が対応する液晶分子を図１３の（Ａ）及び（Ｂ）を参照しながら前述した如くスプレイ配向からベンド配向へ転移させることが確実に容易になる。
【０１１１】
［第７の実施の形態］
次に、図１２を参照しながらこの発明の第７の実施の形態に従った液晶表示装置の要部を説明する。
【０１１２】
この発明の第７の実施の形態に従った液晶表示装置が、前述した第１の実施の形態に従った液晶表示装置と異なっているのは、液晶表示パネル１における画素３００の初期化促進構造の細部である。
【０１１３】
この実施の形態の１つの画素３００における画素電極１０８は、図３を参照しながら前述した第１の実施の形態の場合とは異なり、上記１つの画素３００に対応する画素スイッチ１０４に隣接した信号線１０５´ａに沿った縁に前述した初期化を容易にさせるための四角形状の複数の切り欠き３０２が形成されている。
【０１１４】
そして実施の形態の１つの画素３００に対応する画素スイッチ１０４に隣接した信号線１０５´ａに、画素電極１０８の切り欠き部３０２に対し重なって配置された複数の開口部３０１ｆが形成されている。
【０１１５】
開口部３０１ｆがない場合、従来と同様に、切り欠き部３０２の４つの角部において、それぞれの角部の２等分線に沿い発生する４つの電気力線ＥＬの中で２つは配向処理方向３０３に対し直交し、残る２つは配向処理方向３０３に沿う。
【０１１６】
しかしながらこの実施の形態では、１つの切り欠き部３０２に対し上記残る２つ角部の中の１つに対応して１つの開口部３０１ｆが形成されていて、この対応する開口部３０１ｆの周縁の一部Ｐを上記残る２つの角部の中の１つに接近するよう尖らせることにより、図１２中に示されている如く、上記残る２つの角部の中の１つから発生する電気力線ＥＬを配向処理方向３０３に対し直行する方向に向けるようにしている。この結果、複数の切り欠き部３０２の夫々の４つの角部の中の３つの角部から発生する電気力線ＥＬが配向処理方向３０３に対し直行する方向に向けられるので、開口部３０１ｆと組み合わされない従来と比べると、複数の切り欠き部３０２の夫々が対応する液晶分子を図１３の（Ａ）及び（Ｂ）を参照しながら前述した如くスプレイ配向からベンド配向へ転移させることが確実に容易になる。
【０１１７】
そして、図３中に図示されていた第１の実施の形態の初期化促進構造と同様の効果を得ることが出来る。
【０１１８】
前述した全ての実施の形態において、第１電極と第２電極との間の絶縁膜の厚さは、５０ｎｍから２０００ｎｍの範囲内が実用上好ましい。絶縁膜は薄い方が、より電界が強くなるため、絶縁膜の厚さは、５０ｎｍから７００ｎｍの範囲内がさらに好ましい。この場合、−３０℃といった低温でも、確実にベンド転移を起こすことができた。なお、絶縁膜が５０ｎｍよりも薄い場合、第１電極と第２電極との間で短絡が起こる可能性がある。
【０１１９】
第２電極の切り欠き部の少なくとも１つの角部と、第１電極の開口部の周縁において第２電極の切り欠き部の少なくとも１つの角部に最も近い部位との直線距離は、０．５μｍから３μｍの範囲内であることが好ましい。上記直線距離が０．５μｍより小さい場合、第１電極と第２電極との間で短絡が起こる可能性がある。また上記直線距離が３μｍより大きい場合、電界が弱く、転移促進効果が低減してしまう場合がある。
【図面の簡単な説明】
【０１２０】
【図１】図１は、本発明の第１の実施の形態に従った液晶表示装置の要部である液晶表示パネルの概略的な平面図である。
【図２】図２は、図１の液晶表示パネル１の概略的な断面図である。
【図３】図３は、図１の液晶表示パネルの１つの画素の初期化促進構造を概略的に示す平面図である。
【図４】図４は、図３に示されている１つの画素の初期化促進構造において、第２の電極を構成している画素電極の複数の切り欠き部の中の１つと、この１つの切り欠き部に重なっている第１電極を構成している補助容量線の複数の開口部の中の１つとの組み合わせおいて、初期化を容易にする原理を説明する為の概略的な平面図である。
【図５】図５は、図３の線Ｖ−Ｖに沿った概略的な断面図である。
【図６】図６は、本発明の第１の実施の形態に従った液晶表示装置の液晶表示パネルの変形例の要部の図４と同様な概略的な断面図である。
【図７】図７は、本発明の第２の実施の形態に従った液晶表示装置の液晶表示パネルにおける図３と同様な概略的な平面図である。
【図８】図８は、本発明の第３の実施の形態に従った液晶表示装置の液晶表示パネルにおける図３と同様な概略的な平面図である。
【図９】図９は、本発明の第４の実施の形態に従った液晶表示装置の液晶表示パネルにおける図３と同様な概略的な平面図である。
【図１０】図１０は、本発明の第５の実施の形態に従った液晶表示装置の液晶表示パネルにおける図３と同様な概略的な平面図である。
【図１１】図１１は、本発明の第６の実施の形態に従った液晶表示装置の液晶表示パネルにおける図３と同様な概略的な平面図である。
【図１２】図１２は、本発明の第７の実施の形態に従った液晶表示装置の液晶表示パネルにおける図３と同様な概略的な平面図である。
【図１３】図１３の（Ａ）は、非表示状態の液晶パネルにおける液晶層の全体の液晶分子のスプレイ配向を概略的に示す概略的な断面図であり；そして、  図１３の（Ｂ）は、初期化された表示状態の液晶パネルにおける液晶層の全体の液晶分子のベンド配向を概略的に示す概略的な断面図である。
【図１４】図１４は、ＯＣＢ表示モードを採用した従来の液晶表示装置の画素の一部の初期化促進構造を拡大して概略的に示す図である。
【符号の説明】
【０１２１】
１…液晶表示パネル、２…走査線ドライバ、３…信号線ドライバ、４…補助容量線駆動回路、１０…アレイ基板、２０…対向基板、３０…液晶層、３１…液晶分子、４０…光学補償フィルム、５０…偏光板、１００…光透過基板、１０１…走査線（ゲート）、１０１ａ…突出部分、１０１ｂ…走査信号入力端子、１０２…絶縁層、１０２´…絶縁層、１０３…半導体層、１０４…画素スイッチ、１０５ａ，１０５´ａ…信号線（ドレイン）、１０５ｂ…ソース電極、１０５ｃ…画像信号入力端子、１０６…補助容量線、１０６ａ…補助容量線入力端子、１０６ｂ，１０６ｂ´…延出部、１０８…画素電極、１０９…配向膜、２００…光透過基板、２０６…ブラックマトリックス、２０７…カラーフィルタ、２０８…対向電極、２０９…配向膜、３００…画素、３０１，３０１ａ，３０１ｂ，３０１ｃ，３０１ｄ，３０１ｅ，３０１ｆ…開口部、３０２，３０２´…切り欠き部、３０３…配向処理方向。
【図１】
2008249759.tif 000003
【図２】
2008249759.tif 000004
【図３】
2008249759.tif 000005
【図４】
2008249759.tif 000006
【図５】
2008249759.tif 000007
【図６】
2008249759.tif 000008
【図７】
2008249759.tif 000009
【図８】
2008249759.tif 000010
【図９】
2008249759.tif 000011
【図１０】
2008249759.tif 000012
【図１１】
2008249759.tif 000013
【図１２】
2008249759.tif 000014
【図１３】
2008249759.tif 000015
【図１４】
2008249759.tif 000016